(57)【特許請求の範囲】
【請求項１】
振動板の開口周辺部を、フレームのフランジ部に、弾性体からなるエッジダンパを介して取り付けたスピーカ装置において、
上記エッジダンパは、
スピーカ装置の中心部方向に延び上記振動板の外周周辺部に接着された振動板接着部と、
上記振動板接着部と連続された上記中心部方向外向きに膨出する一の円弧状の曲折部と、
上記曲折部と連続され、上記中心部方向外向きに突出するとともに先端部が上記曲折部の最外周縁と略面一とされ、上記フランジ部にのみ接着されたフレーム接着用突出部とからなるスピーカ装置。
【請求項２】
上記フレーム接着用突出部は、上記曲折部と連続され、上記中心部方向に突出するとともに先端を上記曲折部の最外周縁と略面一となるように曲折することにより、上記中心部方向外向きの溝部を有し、上記中心部方向内向きの突出部が形成された上記フランジ部が上記溝部にはめ込まれて接着される請求項１記載のスピーカ装置。
【発明の詳細な説明】
【０００１】
【発明の属する技術分野】
本発明は、スピーカ装置、特に、振動板の開口周辺部をフレームのフランジ部にエッジダンパを介して取り付けたスピーカ装置に関する。
【０００２】
【従来の技術】
従来のスピーカ装置は、例えば、図５に示すような構造を有していた（特開平７−２９８３９１号公報参照）。図において、１ｚは従来のスピーカ装置、２は下部プレート、２ａは該下部プレート２のセンターポール、３はリング状のスペーサで、下部プレート２上に上記センターポール２ａをそれから適宜離間して囲繞する状態で設けられている。４はリング状の上部プレートで、上記スペーサ３上に上記センターポール２ａをそれから適宜離間して囲繞する状態で固定されている。
【０００３】
５は上記上部プレート４に固定されたフレーム、６はボイスコイルで、上記上部プレート４と上記下部プレート２の中央部のセンターポール２ａとの間に位置され、ボビン７の下部に固定されている。８は該ボビン７をその上下動を妨げないように保持するダンパーで、外周縁が上記フレーム５の内周縁に、内周縁が上記ボビン７に固定されている。９はラッパ状の振動板で、例えば薄い樹脂或いはペーパー等からなり、内周縁が上記ボビン７の上部に固定され、開口周辺部（外周縁）がエッジダンパ１０を介して上記フレーム５の開口周辺部のフランジ部５ａに固定されている。
【０００４】
上記エッジダンパ１０は、大略リング状のゴム弾性体からなり、振動板９の開口周辺部を該振動板９の上下動を妨げないように保持する役割を果たすものであり、従来において、その断面形状は逆Ｕ字形或いは半円形の曲折部分１０ｃの両端を外側に折り曲げて取付部１０ａ、１０ｂとした形状を有していた。１０ａは内側の取付部、１０ｂは外側の取付部であり、その取付部１０ａと１０ｂとの中間の曲折部分１０ｃが振動板９の上下動を許容する弾性部分となる。該エッジダンパ１０は、その内側の取付部１０ａが振動板９の開口周辺部（外周縁）に接着され、外側の取付部１０ｂがフレーム５のフランジ部５ａに接着されている。
【０００５】
１１は振動板９の中央部近傍に周縁部を固定されてボイスコイル収納部分を保護するダストキャップ、１２は一端がボイスコイル６に接続されたリード線で、振動板９の表面を這い、該振動板９を貫通し、該振動板９から裏面側に突出した部分の端部がフレーム５に取り付けられた端子板１３に固定されている。１４はオーディオ装置本体に接続されたリード線で、該端子板１３にてそのボイスコイル６と接続されたリード線１２と接続されている。
【０００６】
【発明が解決しようとする課題】
ところで、オーディオ装置においては、周波数特性の低域における特性の向上が要求される場合が多い。即ち、所謂低音の延びの良さが要求される場合が多いのである。しかし、低音の特性の向上は、スピーカの振動板の外径により制約され、振動板の形の小さなスピーカを用いると、オーディオ装置本体の出力の低域における周波数特性が優れていても、オーディオ装置としての低域における周波数特性は高めることができない。
【０００７】
従って、低域における周波数特性を向上させるには、振動板の外径の大きなスピーカを用いることが必要となるといえる。依って、一般的には、振動板の外径を大きくすると必然的にスピーカも大きくする必要があるといえる。しかし、スピーカを徒に大きくすることが許されない場合が少なくない。例えば、カーオーディオ装置等においては、スピーカが車両ドアの内部に取り付けられることが多く、車両ドアによる制約を越えてスピーカを大きくすることは許されない。
【０００８】
にも拘わらず、できるだけ低音の延びを良くすることを要求するドライバが少なくなかったのである。そこで、本願発明者は、従来のスピーカ装置の構造について、スピーカの大きさ、より具体的にはフレームの外径が同じでも低音の周波数特性を決定する実効的振動板外径をより大きくすることができないかという観点から検討した。
【０００９】
そして、その検討の結果、本願発明者は、従来のスピーカ装置には、エッジダンパ１０の曲折部分１０ｃの外側にフレーム５の開口周縁部が取り付けられるので、その取付部１０ｂが低音の延びに寄与しないのにフレーム５の外径を大きくする要素となることに気付いた。そこで、低音の伸びに寄与しない取付部がフレーム５の外径を大きくする要素にならないようにすることを模索し、本発明を為すに至った。
【００１０】
即ち、本発明は、スピーカ装置において、フレームの外径、延いては、スピーカ装置の大きさが同じでも低域における周波数特性をより高めること、或いは低域における周波数特性が同じだとフレームの外径、延いてはスピーカ装置を小さくできるようにすることを目的とする。
【００１１】
【課題を解決するための手段】
上述した目的を達成した本発明に係るスピーカ装置は、振動板の開口周辺部を、フレームのフランジ部に、弾性体からなるエッジダンパを介して取り付けたスピーカ装置において、上記エッジダンパは、スピーカ装置の中心部方向に延び上記振動板の外周周辺部に接着された振動板接着部と、上記振動板接着部と連続された上記中心部方向外向きに膨出する一の円弧状の曲折部と、上記曲折部と連続され、上記中心部方向外向きに突出するとともに先端部が上記曲折部の最外周縁と略面一とされ、上記フランジ部にのみ接着されたフレーム接着用突出部とからなるものである。
また、本発明に係るスピーカ装置の上記フレーム接着用突出部は、上記曲折部と連続され、上記中心部方向に突出するとともに先端を上記曲折部の最外周縁と略面一となるように曲折することにより、上記中心部方向外向きの溝部を有し、上記中心部方向内向きの突出部が形成された上記フランジ部が上記溝部にはめ込まれて接着されるものである。
【００１２】
本発明に係るスピーカ装置によれば、エッジダンパのフレームとフランジ部との接着を、スピーカ装置自身の中心部方向に突出する接着用突出部にて行うので、低域における周波数特性の向上に寄与し得ないところの取付部となった突出部をフレームの外径を大きくする要素にならないようにできる。
【００１３】
依って、フレームの外径、延いては、スピーカ装置の大きさが同じでも低域における周波数特性をより高めることができる。また、低域における周波数特性が同じだとフレームの外径、延いてはスピーカ装置を小さくすることができる。
【００１４】
【発明の実施の形態】
本発明は、基本的には、エッジダンパのフレームのフランジ部への接着を、該エッジダンパの曲折部の最外周縁よりもスピーカ装置自身の中心部寄りの部分にて為してなるが、それは、例えばエッジダンパの振動板の開口周辺部に接着された側と反対側の側部にスピーカ装置自身の中心部方向に突出する接着用突出部を設け、該エッジダンパを該突出部にてフレームのフランジ部にのみ接着するという形態で実現できる。
【００１５】
本発明スピーカ装置は、スピーカユニットが一つのものに適用することができることは勿論のことであるが、低音用スピーカユニットに、それより外径の小さな高音用、或いは中音、高音用のスピーカ等、別のスピーカユニットを一乃至複数設けたタイプのスピーカ装置にも適用することができることはいうまでもない。
【００１６】
【実施例】
以下、本発明を図示実施例に従って詳細に説明する。図１は本発明スピーカ装置の第１の実施例１ａの要部を示す断面図である。図面において、５はフレーム、５ａは該フレーム５のフランジ部、９は振動板、２０は本スピーカ装置のエッジダンパで、その断面形状は、半円形の曲折部２０ｃの内端部を外側に折り曲げて取付部２０ａと成し、外端部２０ｂにそれから内側（スピーカ装置中心部に向かう方向側）に突出させた取付用突出部２０ｆを一体に形成した形状であり、その突出部２０ｆを以てフレーム５との取付部と成す。上記取付部２０ａは振動板９の外周縁に接着され、取付用突出部２０ｆはフレーム５のフランジ部５ａに設けた段差部５ｂに落とし込まれ、その底面が該段差部５ｂ上に接着剤２１を介して接着されている。
【００１７】
本スピーカ装置は、エッジダンパ２０と、フレーム５（のフランジ部５ａ）との接着部分が、該エッジダンパ２０の曲折部２０ｃの最外周縁よりもスピーカ装置自身の中心部側に位置し、最外周縁から外側へは食み出していない。従って、低域における周波数特性の向上に寄与し得ないエッジダンパ２０とフレーム５（のフランジ部５ａ）との接続部がフレーム５の外径を大きくする要素にならないようにすることができる。
【００１８】
従って、フレームの外径、延いては、スピーカ装置の大きさが同じでも低域における周波数特性をより高めることができる。また、低域における周波数特性が同じだとフレームの外径、延いてはスピーカ装置を小さくすることができる。
【００１９】
図２（Ａ）、（Ｂ）はエッジダンパの外端部の断面形状、該外端部のフレームのフランジ部への取り付けに関してのみ相違し、それ以外の点では同じ条件で製造したスピーカ装置の振動板の実質的外径について図１に示す実施例と従来例を比較するための概略構成断面図であり、（Ａ）は図１に示す実施例を、（Ｂ）は従来例を示す。ここで、振動板の実質的外径とは、振動板のみならず、エッジダンパの振動板と共に振動する部分、即ち、図２に示すエッジダンパの曲折部２０ｃ及び１０ｃの最外周部の直径である。
【００２０】
同じ磁気回路の構成でフレーム外径を共に２３０ｍｍとし、エッジダンパの曲折部が略同様の曲率形状を持った図２（Ａ）に示す本実施例１ａのものと図２（Ｂ）に示す従来例１ｚのものを比較すると、図２（Ａ）に示す本実施例においては振動板の実質的外径を２２１ｍｍにできたのに対し、図２（Ｂ）に示す従来例だと実質的外径を２１５ｍｍにしかできなかった。これは、振動板の実質的外径を６ｍｍ程度大きくすることができるということを意味する。
【００２１】
図３は、図２（Ａ）に示す本実施例１ａと図２（Ｂ）に示す従来例１ｚについての周波数特性を示す周波数特性図であり、この図からも明らかなように、本実施例１ａの方が、従来例１ｚよりも低域における周波数特性が良い。具体的には、低い方の帯域が１０〜２０Ｈｚ程度本実施例の方が広いといえる。この差は振動板の実質的外径の違いに起因することはいうまでもない。
【００２２】
図４（Ａ）〜（Ｂ）は図１に示したスピーカ装置１ａの各別の変形例１ｂ〜１ｃを示す断面図である。図４（Ａ）に示す変形例１ｂは、図１に示す実施例１ａにおけるようにエッジダンパ２０に取付用突出部２０ｆを設けるのではなく、中間の曲折部２０ｃの折り曲げの度合いを強めて端部２０ｂをフレーム５のフランジ部５ａに接着し、且つ、接着部が曲折部２０ｃの最外周縁から外側に食み出さないようにしたものである。２１は接着剤である。
【００２３】
図４（Ｂ）に示す変形例１ｃは、エッジダンパ２０についてはその端部２０ｂを外向きの溝２０ｄができるように曲折した形状にし、フレーム５についてはその溝２０ｄ内に嵌る内向きの突出部５ｄを有する形状にし、その突出部５ｄを上記溝２０ｄにはめ込んだ状態で接着剤２１にて接着しつつ、接着部が曲折部２０ｃの最外周縁から外側に食み出さないようにしたものである。
【００２４】
図４（Ａ）〜（Ｂ）に示したいずれの変形例１ｂ〜１ｃも、接着部が曲折部２０ｃの最外周縁から外側に食み出さないようにされているので、接続部がフレーム５の外径を大きくする要素になることはない。
【００２５】
従って、図１に実施例１ａと同様に、フレーム５の外径、延いては、スピーカ装置の大きさが同じでも低域における周波数特性をより高めることができる。また、低域における周波数特性が同じだとフレームの外径、延いてはスピーカ装置を小さくすることができるのである。
【００２６】
【発明の効果】
本発明のスピーカ装置によれば、エッジダンパとフレームのフランジ部との接着をエッジダンパの円弧状の最外周縁より外側へは食み出さないスピーカ装置自身の中心部方向に突出するフレーム接着用突出部にて行うので、低域における周波数特性の向上に寄与し得ないところの取付部となった突出部はフレームの外径を大きくする要素にはならないようにすることができる。
【００２７】
依って、フレームの外径、延いては、スピーカ装置の大きさが同じでも低域における周波数特性をより高めることができる。また、低域における周波数特性が同じだとフレームの外径、延いてはスピーカ装置を小さくすることができる。さらにまた、エッジダンパとフレームの接着は、フレームのフランジ部にのみ接着されて行われるので、エッジダンパのダンパ作用を失うことなく確実に行うことができる。
【図面の簡単な説明】
【図１】  本発明スピーカ装置一つの実施例の要部を示す断面図である。
【図２】  （Ａ）、（Ｂ）はスピーカ装置の振動板の実質的外径について図１に示す実施例と従来例を比較するための概略構成断面図であり、（Ａ）は図１に示す実施例を、（Ｂ）は従来例を示す。
【図３】  図２（Ａ）に示す本実施例と図２（Ｂ）に示す従来例についての周波数特性を示す周波数特性図である。
【図４】  （Ａ）〜（Ｂ）は図１に示すスピーカ装置に対する各別の変形例の要部を示す断面図である。
【図５】  スピーカ装置の一つの従来例の要部を示す断面図である。
【符号の説明】
１ａ〜１ｃ・・・スピーカ装置、５・・・フレーム、５ａ・・・フレームのフランジ部、 ６・・・ボイスコイル、９・・・振動板、２０・・・エッジダンパ、２０ａ・・・振動板側（内側）取付部、２０ｂ・・・フレーム側（外側）取付部、２０ｃ・・・曲折部、２０ｄ・・・溝、２０ｆ・・・突出部
【図１】
0004295935.tif 000002
【図２】
0004295935.tif 000003
【図３】
0004295935.tif 000004
【図４】
0004295935.tif 000005
【図５】
0004295935.tif 000006